(57)【要約】【課題】右打専用通路又は左打専用通路における遊技球の動きを従来よりも趣向性の高いものにすることが可能な遊技機の提供を目的とする。【解決手段】遊技球が流下する遊技領域Ｒ１の右側流下エリアＲａに向かう又は右側流下エリアＲａを流下する遊技球全てが通過する右打専用通路（左側流下エリアＲａ及び左上傾斜部２４Ｂ）、遊技領域Ｒ１の左側流下エリアＲｂに向かう又は前記左側流下エリアＲｂを流下する遊技球全てが通過する左打専用通路（右側流下エリアＲｂ及び右打導入通路Ｒｃ）と、を備えた遊技機において、右打専用通路又は左打専用通路における遊技球の進行方向の一部を、遊技板１１の後方に位置するように屈曲してなる屈曲通路５０Ｒと、屈曲通路５０Ｒを前方から覆う通路前面カバー５５とを備えた遊技機。【選択図】図７
2017087034.tif 000002
【特許請求の範囲】
【請求項１】
遊技球が流下可能な遊技領域を前面に備えた遊技板と、
前記遊技領域の右側流下エリアに向かう又は前記右側流下エリアを流下する遊技球全てが通過する右打専用通路と、を備えた遊技機において、
前記右打専用通路における遊技球の進行方向の一部が、前記遊技板の後方に向けて屈曲してなる屈曲通路と、
前記屈曲通路を前方から覆う通路前面カバーと、を備え
前記遊技領域を包囲する包囲壁と、
前記遊技領域の左上縁部に設けられ、遊技球を前記遊技領域に打ち込むための進入口と、
前記進入口から前記包囲壁に沿って遊技球を前記右側流下エリアへと案内する前記右打専用通路としての右打導入通路とを有し、
前記右打導入通路の一部が前記屈曲通路になっていて、
前記右打導入通路のうち前記屈曲通路より左側部分を上下方向に屈曲させてなる減速屈曲部と、を備え、
前記右打導入通路は、左右方向に延びて前記減速屈曲部の左側部分を構成する左上側通路と、前記左上側通路に対して下方にずれかつ前記左上側通路の右方で左右方向に延びて前記減速屈曲部の右側部分を構成する右上側通路と、前記左上側通路と前記右下側通路との間を連絡して前記減速屈曲部の途中部分を構成する中間通路とを有し、
前記中間通路のうち前記左上側通路の延長領域より下側部分に、前後方向に傾斜した傾斜付きの前後段差部を設けたことを特徴とする遊技機。
【発明の詳細な説明】
【技術分野】
【０００１】
本発明は、遊技球を遊技領域の右側流下エリアと左側流下エリアとに打ち分けて遊技を行うことが可能な遊技機に関する。
【背景技術】
【０００２】
一般に、この種の遊技機では、進入口から打ち込まれた遊技球が包囲壁に沿って移動し、それら遊技球のうち遊技領域の最上部を超えた遊技球は全て右側流下エリアに向かい、遊技領域の最上部の手前で失速して折り返した遊技球は全て左側流下エリアに向かう。つまり、遊技領域の上部には、遊技領域の最上部を超えた遊技球が全て通過する右打専用通路と、遊技領域の最上部の手前で失速して折り返した遊技球が全て通過する左打専用通路とが備えられている（例えば、特許文献１参照）。
【先行技術文献】
【特許文献】
【０００３】
【特許文献１】特開２０１５−９７６４７号公報（図２）
【発明の概要】
【発明が解決しようとする課題】
【０００４】
しかしながら、上述した従来の遊技機においては、右打専用通路及び左打専用通路を通過する遊技球の動きが趣向性に欠けていた。中でも、右打専用通路は、強く打ち込まれた遊技球が包囲壁に案内されて単調に通過するに過ぎず、特に趣向性に欠けていた。
【０００５】
本発明は、上記事情に鑑みてなされたもので、右打専用通路又は左打専用通路における遊技球の動きを従来よりも趣向性の高いものにすることが可能な遊技機の提供を目的とする。
【課題を解決するための手段】
【０００６】
上記目的を達成するためになされた請求項１の発明は、遊技球が流下可能な遊技領域を前面に備えた遊技板と、前記遊技領域の右側流下エリアに向かう又は前記右側流下エリアを流下する遊技球全てが通過する右打専用通路と、を備えた遊技機において、前記右打専用通路における遊技球の進行方向の一部が、前記遊技板の後方に向けて屈曲してなる屈曲通路と、前記屈曲通路を前方から覆う通路前面カバーと、を備え前記遊技領域を包囲する包囲壁と、前記遊技領域の左上縁部に設けられ、遊技球を前記遊技領域に打ち込むための進入口と、前記進入口から前記包囲壁に沿って遊技球を前記右側流下エリアへと案内する前記右打専用通路としての右打導入通路とを有し、前記右打導入通路の一部が前記屈曲通路になっていて、前記右打導入通路のうち前記屈曲通路より左側部分を上下方向に屈曲させてなる減速屈曲部と、を備え、前記右打導入通路は、左右方向に延びて前記減速屈曲部の左側部分を構成する左上側通路と、前記左上側通路に対して下方にずれかつ前記左上側通路の右方で左右方向に延びて前記減速屈曲部の右側部分を構成する右上側通路と、前記左上側通路と前記右下側通路との間を連絡して前記減速屈曲部の途中部分を構成する中間通路とを有し、前記中間通路のうち前記左上側通路の延長領域より下側部分に、前後方向に傾斜した傾斜付きの前後段差部を設けたことを特徴とする遊技機である。
【０００７】
請求項１の構成では、右打専用通路又は左打専用通路における遊技球の進行方向の一部が後方に屈曲した屈曲通路となっている。これにより、右打専用通路を通過する遊技球の全て又は左打専用通路を通過する遊技球の全てが、屈曲通路で遊技板の前面から後方に曲がって進行するので、右打専用通路又は左打専用通路における遊技球の動きを従来の遊技機にはない斬新な動きにすることができ、趣向性が高まる。
【０００８】
また、屈曲通路が、進入口から包囲壁に沿って斜め上方に向かう遊技球を右側流下エリアへと案内する右打導入通路に設けられているので、右打導入通路が、強く打ち込まれた遊技球が包囲壁に案内されて単調に通過するに過ぎなかった従来の遊技機と比べて、右打専用通路の右打導入通路における遊技球の動きに変化をもたせることができる。
【発明の効果】
【０００９】
［請求項１の発明］
請求項１の遊技機では、右打専用通路又は左打専用通路における遊技球の進行方向の一部が後方に屈曲した屈曲通路となっている。これにより、右打専用通路を通過する遊技球の全て又は左打専用通路を通過する遊技球の全てが、屈曲通路で遊技板の前面から後方に曲がって進行するので、右打専用通路又は左打専用通路における遊技球の動きを従来の遊技機にはない斬新な動きにすることができ、趣向性が高まる。
【図面の簡単な説明】
【００１０】
【図１】本発明の一実施形態に係る遊技機の正面図
【図２】遊技板の正面図
【図３】窓内装飾部材が下端位置に配置された遊技板の正面図
【図４】右打導入通路の拡大図
【図５】表示装飾枠の斜視図
【図６】減速屈曲部の拡大図
【図７】（Ａ）減速屈曲部の拡大斜視図（Ｂ）緩衝部材の斜視図
【図８】減速屈曲部の断面図
【図９】樋屈曲部の斜視図
【図１０】樋屈曲部の分解斜視図
【図１１】樋屈曲部の断面図
【発明を実施するための形態】
【００１１】
以下、本発明の一実施形態を図１〜図１１に基づいて説明する。図１に示すように、本実施形態の遊技機１０はパチンコ遊技機であって、前側が前面枠１０Ｚにて覆われており、その前面枠１０Ｚに形成されたガラス窓１０Ｗを通して遊技板１１の遊技領域Ｒ１が視認可能になっている。なお、以下の説明において、特記しない限り「右」及び「左」とは、遊技機１０を前方から見た場合の「右」及び「左」を指すものとする。
【００１２】
前面枠１０Ｚのうちガラス窓１０Ｗより下方には、上皿２７Ａと下皿２７Ｂが上下２段にして設けられ、下皿２７Ｂの右側には操作ハンドル２８が設けられている。操作ハンドル２８を回動操作すると、上皿２７Ａに収容された遊技球が遊技領域Ｒ１に向けて弾き出される。図２に示すように、遊技領域Ｒ１には、始動入賞口１４Ａ，１４Ｂ、大入賞口３０が備えられている。そして、始動入賞口１４Ａ，１４Ｂに遊技球が入賞すると、当否判定が行われて、判定結果が当りであれば、大入賞口３０が開放状態となる「大当り遊技」が実行され、外れであれば大入賞口３０が閉じたままとなる。
【００１３】
図２に示すように、遊技板１１は、全体が略四角形をなし、その上部の両角部は、斜めにカットされている。この遊技板１１の前面から突出した第１及び第２のガイドレール１２Ａ，１２Ｂと区画レール１６が、本発明に係る「包囲壁」となって遊技領域Ｒ１を囲んでいる。具体的には、第１及び第２のガイドレール１２Ａ，１２Ｂは帯板状をなして、その帯幅方向を遊技板１１の前後方向に向けた状態で遊技板１１の前面に取り付けられている。また、第１ガイドレール１２Ａは、遊技板１１の外縁部における下辺の左端部寄り位置と、左辺と、上辺と、右上角部近傍の右辺寄り位置と、を繋げる円弧状をなして延びている。また、第２ガイドレール１２Ｂは、遊技板１１の外縁部の下辺中央部より上方に離れた位置から遊技板１１の左上角部近傍で第１ガイドレール１２Ａより内側に遊技球１つ分ずれた位置まで、第１ガイドレール１２Ａに沿った円弧状をなして延びている。この第２ガイドレール１２Ｂの上端と第１ガイドレール１２Ａとの間に本発明の進入口１９が設けられている。（第１ガイドレール１２Ａは第２ガイドレール１２Ｂの外側にあることから外レールとなり、第２ガイドレール１２Ｂを含んだレールが内レールとなっている。）
【００１４】
また、区画レール１６は、遊技板１１の外縁部の下辺と右辺とに沿って延びて、その下辺に沿った部分の先端が第２ガイドレール１２Ｂの始端部近傍に位置する一方、右辺に沿った部分の上側が第１ガイドレール１２Ａの終端部近傍に位置している。
【００１５】
また、遊技板１１のうち遊技領域Ｒ１の中央には、中央開口部１１Ａ（図４参照）が貫通形成されていて、中央開口部１１Ａには、表示装飾枠２３が取り付けられている。詳細には、表示装飾枠２３は、中央開口部１１Ａの内側に受容される受容部２３Ｋと、受容部２３Ｋから側方に張り出して遊技板１１の前面より僅かに前方で延びた前面を有する張出し部２３Ｆと、を備え、遊技板１１の中央開口部１１Ａに前方から嵌め込まれている。この表示装飾枠２３の内縁部に囲まれた領域が本発明の表示窓２３Ａに相当する。なお、張出し部２３Ｆの前面側は遊技球が流下可能に構成される。また、表示装飾枠２３は、張出し部２３Ｆの一部が遊技板１１の前面に重なられた状態でビス止めされることにより固定されている。
【００１６】
遊技板１１の後方には、表示画面１３Ｇを備えた表示装置１３（本発明の「演出装置」に相当する）が取り付けられている。表示装置１３の表示画面１３Ｇは、表示窓２３Ａを通して前方に臨んでいる。なお、表示画面１３Ｇには、上述した当否判定の結果等が表示される。
【００１７】
図２に示すように、表示窓２３Ａの内側には、左右方向に延びた窓内装飾部材８０が備えられている。この窓内装飾部材８０は、常には、図２に示される上端位置（本発明の「第１位置」に相当する）に配され、上述した大当り遊技が開始されるなど遊技状況に応じて、図３に示される下端位置（本発明の「第２位置」に相当する）まで落下して、遊技を盛り上げる。つまり、窓内装飾部８０は上端位置と下端位置との間を移動可能（上端位置と下端位置との間の途中で停止する場合があるのも含む）に構成されている。
【００１８】
表示装飾枠２３のうち表示画面１３Ｇより上方部分と両側方部分は、前記したガラス窓１０Ｗのガラス板に隣接する位置まで突出した流下規制突部２４となっていて、遊技球の流下方向を規制している。
【００１９】
流下規制突部２４のうち表示画面１３Ｇより上方の上側流下規制部２４Ａは、上方に膨らんだ形状をなし、遊技領域Ｒ１に打ち込まれた遊技球を、遊技領域Ｒ１の左側流下エリアＲａと、右側流下エリアＲｂとに振り分ける。左側流下エリアＲａは、流下規制突部２４のうち表示画面１３Ｇより左方の左側流下規制部２４Ｌと第２ガイドレール１２Ｂとの間を含んだ左側の領域に形成され、右側流下エリアＲｂは、流下規制突部２４のうち表示画面１３Ｇより右方の右側流下規制部２４Ｒと区画レール１６との間を含んだ右側の領域に形成されている。なお、遊技球は遊技状況に応じて左側流下エリアＲａと右側流下エリアＲｂとに打ち分けられる。
【００２０】
上側流下規制部２４Ａの上面のうち左右方向の中央部は、第１ガイドレール１２Ａと遊技球１球の幅で対向した頂上部２４Ｔとなっている。また、上側流下規制部２４Ａの上面の左側部分は、頂上部２４Ｔの左端部から左下がりに傾斜した左上傾斜部２４Ｂになっている。そして、比較的弱い発射強度で発射された遊技球は、左上傾斜部２４Ｂ又は障害釘に当接して、左側流下エリアＲａに向かう。
【００２１】
また、遊技領域Ｒ１の上縁部には、第１ガイドレール１２Ａの右上縁部に沿って延びた右打導入通路Ｒｃが設けられている。比較的強い発射強度で発射された遊技球は、この右打導入通路Ｒｃを通過して右側流下エリアＲｂに案内される。右打導入通路Ｒｃについては、後に詳説する。
【００２２】
図２に示すように、区画レール１６の上端側には、第１ガイドレール１２Ａの終端下方に隣接配置された垂直面１６Ｄが備えられている。また、垂直面１６Ｄには、右打導入通路Ｒｃを通過してきた遊技球が衝突する弾性部材（エラストマー製）の終端緩衝部材１６Ｋが備えられている。この終端緩衝部材１６Ｋと上側流下規制部２４Ａの右側端部との間に、遊技球が１つずつ通過可能な右上部関所２４Ｙが形成されている。なお、この右上部関所２４Ｙは、右側流下エリアＲｂの上端側に位置している。
【００２３】
右側流下エリアＲｂのうち右上部関所２４Ｙに下方から隣接する部分には、遊技球１つ通過できる分の幅をなし、カバー片６１によって前方から覆われたサイド進入路６０が備えられている。サイド進入路６０は、右上部関所２４Ｙを通過した遊技球を受け入れて遊技球１球分左方へ屈曲させた後、遊技球２〜３球分下方へ移動させ、そこから僅かに右方へ屈曲させ、下流側へ排出する。また、カバー片６１の上下方向の中央には後方に突出した突部（図示せず）が形成されていて、サイド進入路６０のうち上下方向に遊技球２〜３球分延びた部分は、後方へ向けてＵ字状に屈曲している。そして、右打導入通路Ｒｃの下方（頂上部の下方）に窓内装飾部材８０が配置されている。
【００２４】
次に、右打導入通路Ｒｃについて詳細を説明する。図５に示すように、右打導入通路Ｒｃは、上側流下規制部２４Ａの頂上部２４Ｔの左端部から上側流下規制部２４Ａの右端部まで、遊技球が１球ずつ通過可能な幅をなして延びている。これらの通路と窓内装飾部材８０の前方への突出量はほぼ同じ高さに構成されている。
【００２５】
右打導入通路Ｒｃは、左端部に減速屈曲部４２を備えている。詳細には、右打導入通路Ｒｃは、上側流下規制部２４Ａの頂上部２４Ｔ上の上側通路４５と、上側通路４５の右方で上側通路４５から遊技球１球分下方にずれて延びた下側通路４６と、上側通路４５と下側通路４６との間を連絡する中間通路４３とを有していて、これら上側通路４５、下側通路４６、中間通路４３により、減速屈曲部４２が構成されている。
【００２６】
また、上側流下規制部２４Ａの外側面のうち中間通路４３の左方部には、頂上部２４Ｔの右端から略直交して下方に僅かに延びた逆流規制部２４Ｃと、逆流規制部２４Ｃの下端部から下方に向かうに従って右側に向かうように傾斜して、上下方向及び左右方向で遊技球１球分延びた誘導傾斜部２４Ｄとが備えられている。
【００２７】
なお、中間通路４３の上下方向の中間部分には、遊技板１１と表示装飾枠２３の張出し部２３Ｆとによって形成された前後段差部２３Ｄが設けられている。前後段差部２３Ｄは、下方に向かうに従って前側に向かうように傾斜している。
【００２８】
また、減速屈曲部４２には、下側通路４６と第１ガイドレール１２Ａとの間でかつ上側通路４５の延長線上に、第１ガイドレール１２Ａに下方から隣接し、進入口１９から第１ガイドレール１２Ａに沿って進んできた遊技球が衝突する緩衝部材４１が設けられている。なお、この緩衝部材４１の左端面近傍が本発明の「衝突部」に相当する。
【００２９】
図７に示すように、緩衝部材４１は、エラストマー製のブロック形状をなし、そのブロック形状のうち遊技球が衝突する衝突面４１Ｍ（左端面）は、下方に向かうに従って上側通路４５の延長方向の前方に向かうように傾斜する第１傾斜Ｋ１と、遊技板１１側に向かうに従って上側通路４５の延長方向の前方に向かうように傾斜する第２傾斜Ｋ２とを備えた傾斜部４１Ｋを有している。これにより、衝突面４１Ｍに衝突した遊技球は、傾斜部４１Ｋの第１傾斜により下側通路４６側へと誘導されると共に、第２傾斜により遊技板１１側へと誘導され、遊技球が前面に飛び出してガラス窓１０Ｗを傷つけることが抑制される。また、緩衝部材４１は、ブロック形状における上側通路４５の延長方向の寸法が、前端部から遊技板１１側に向かうに従って徐々に小さくなるように窄んでいる。
【００３０】
緩衝部材４１は、遊技板１１の前面と、表示装飾枠２３に一体形成されて遊技板１１の前面と対向した前面支持部材２６との間に固定されている。詳細には、緩衝部材４１には前後に貫通した一対の支持孔４１Ａ，４１Ａが横並びに形成されている。また、図８で示すように、前面支持部材２６には、後方に突出し、遊技板１１の前面と前面支持部材２６との間の中間位置まで延びた一対の支持シャフト２６Ｓ，２６Ｓが横並びに形成されている。この前面支持部材２６の支持シャフト２６Ｓ，２６Ｓが緩衝部材４１の支持孔４１Ａ，４１Ａに中間位置まで挿入されることで、緩衝部材４１が固定されている。そして、緩衝部材４１の支持孔４１Ａのうち遊技板１１側部分に空洞部４１Ｈが形成されている。これにより、緩衝部材４１に遊技球が衝突したときに、緩衝部材４１における前面支持部２６側よりも遊技板１１側が弾性変形しやすく、遊技球を遊技板１１側に誘導させやすくなり、遊技球が前面に飛び出してガラス窓１０Ｗを傷つけることがより一層防がれる。さらに、緩衝部材４１と遊技板１１との間にも隙間４１Ｓが設けられている。これにより遊技球の衝撃により緩衝部材４１が弾性変形するときに、緩衝部材４１の後面４１Ｂと遊技板１１との接触による摩擦を抑制することが可能となり、スムーズな弾性変形及び弾性復帰が可能となる。
【００３１】
ここで、従来の遊技機においては、右打導入通路Ｒｃは、強く打ち込まれた遊技球が第１ガイドレール１２Ａに案内されて単調に通過するに過ぎず、特に趣向性に欠けるという問題があった。この問題を解消するために、本実施形態の遊技機１０には右打導入通路Ｒｃに前後方向に屈曲した屈曲通路５０Ｒが設けられている。以下に、この屈曲通路５０Ｒについて詳細を説明する。
【００３２】
図９に示すように、右打導入通路Ｒｃにおける減速屈曲部４２の右方部分には、通路前面カバー５５を有した樋構造をなし、内側を遊技球が通過する弾通過樋４７が備えられてる。なお、通路前面カバー５５は、透明樹脂で構成され、弾通過樋４７内を通過する遊技球が視認可能となっている。また、通路前面カバー５５は、図１０に示すように、別体形成され、装飾枠本体２３Ｈに対して後付け可能に構成されている。
【００３３】
図４に示すように遊技板１１の中央開口部１１Ａの右上角部には中央開口部１１Ａを外側に拡張した樋収容部１１Ｋが形成されている。そして、弾通過樋４７をこの樋収容部１１Ｋに収容されるように後方に屈曲することで樋屈曲部５０が形成され（図９参照）、この樋屈曲部５０の内部が屈曲通路５０Ｒとなっている。つまり、樋収容部１１Ｋを設けることで樋屈曲部６０を遊技板１１側に屈曲させて配置することができるように構成されている。
【００３４】
図９に示すように、樋屈曲部５０の上流側端部と下流側端部には、導入部５０Ｄと導出部５０Ｅとが設けられている。これら導入部５０Ｄ及び導出部５０Ｅの後側内側面は、張出し部２３Ｆの前面と同じ面により構成されている。即ち、樋屈曲部５０における遊技球の出入り口は、遊技板１１の前面の前方に配されている。なお、通路前面カバー５５の上流側端部と下流側端部とには、遊技球が屈曲通路５０Ｒをスムーズに出入りするための傾斜部５５Ｋが形成されている。
【００３５】
樋屈曲部５０のうち導入部５０Ｄと導出部５０Ｅとの間に、本発明の干渉回避部５０Ａが形成されている。干渉回避部５０Ａは、樋収容部１１Ｋの内側に配置され（図１１参照）、遊技板１１と略平行、或は遊技板１１の裏面より少し突出した形で延びている。また、通路前面カバー５５のうち干渉回避部５０Ａを前方から覆う干渉回避カバー部５５Ａは、遊技板１１の前面と略面一となっている。そして、樋屈曲部５０よりも前方の通路と窓内装飾部材８０の前方への突出量がほぼ同じ高さに構成されていることから、図５に示すように、窓内装飾部材８０のうち右上部を拡張した装飾拡張部８０Ｋがこの干渉回避部５０Ａの前方に配置可能に構成されている。
【００３６】
また、樋屈曲部５０には、導入部５０Ｄ及び導出部５０Ｅと干渉回避部５０Ａとの間を連絡し、遊技板１１の前面に対して傾斜した１対の傾斜屈曲部５０Ｂ，５０Ｃが形成されていて、導入部５０Ｄから干渉回避部５０Ａへ向かう遊技球及び干渉回避部５０Ａから導出部５０Ｅへ向かう遊技球をスムーズに通過させることができ、樋屈曲部５０内での球詰まりが防がれる。なお、通路前面カバー５５のうち導出部５０Ｅの前方に位置する部分は導出部カバー５５Ｅとなっていて、干渉回避部５０Ａから導出部５０Ｅへ移動する遊技球がガラス窓１０Ｗに衝突することが防がれる。また、導出部５０Ｅは干渉回避部５０Ａよりも前後方向と交差する方向の幅で幅広になっている。
【００３７】
なお、上述した構成により、比較的強く打ち込まれた遊技球が通過する領域は、進入口１９から第１ガイドレール１２Ａに沿って緩衝部材４１まで延びた第１領域Ｔ１と、緩衝部材４１に衝突することで減速され、第１領域Ｔ１よりも小さい（遅い）速度で遊技球が通過する第２領域Ｔ２と、終端緩衝部材１６Ｋによって減速され、第２領域Ｔ２よりも小さい（遅い）速度で進入した遊技球が流下する第３領域Ｔ３（右側流下エリアＲｂ）と、に分かれている。
【００３８】
次に、遊技機１０の作用効果について説明する。本実施形態の遊技機１０では、遊技球を右側流下エリアＲｂを目指して勢いよく打ち込むと、進入口１９から飛び出した遊技球は、第１ガイドレール１２Ａに案内されて右上方に向かい、右打導入通路Ｒｃに進入する。
【００３９】
右打導入通路Ｒｃに進入した遊技球は、まず減速屈曲部４２を通過する。減速屈曲部４２では、クランク上側通路４５を右方へ移動する遊技球が緩衝部材４１に衝突して減速され、その下方に配されたクランク下側通路４６へ案内される。なお、比較的緩やかに右打導入通路Ｒｃに進入した遊技球は、緩衝部材４１に衝突せずにクランク下側通路４６に向かう場合もある。
【００４０】
クランク下側通路４６へ案内された遊技球はさらに右方へ向けて転動して樋屈曲部５０の導入部５０Ｄへと突入し、傾斜屈曲部５０Ｂによって導入部５０Ｄより後方に位置する潜行部５０Ａへ案内される。このとき、上流側に設けられた減速屈曲部４２で遊技球の速度が減速されているので、通路前面カバー５５の上流側部分に遊技球が衝突したときの衝撃が抑えられ、通路前面カバー５５にかかる負担が軽減される。その後、遊技球は、潜行部５０Ａを通過して、傾斜屈曲部５０Ｃを通り導出部５０Ｅから抜け出す。
【００４１】
樋屈曲部５０を抜けた遊技球は、右上部関所２４Ｙに到達し、終端緩衝部材１６Ｋに衝突して減速された状態で右側流下エリアＲｂに流入する。なお、右側流下エリアＲｂの上端部には左右方向及び前後方向で屈曲したサイド進入路６０が備えられているので、遊技球の速度がさらに減速され、右側流下エリアＲｂに配設された誘導釘へ勢いよく遊技球が落下して衝突することで発生する場合がある釘折れを抑制することができる。
【００４２】
ところで、右打導入通路Ｒｃは、強く打ち込まれた遊技球が第１ガイドレール１２Ａに案内されて単調に通過するに過ぎず、特に趣向性に欠けるという問題があった。
【００４３】
これに対して、本実施形態の遊技機１０では、右打導入通路Ｒｃの一部が後方に屈曲した屈曲通路５０Ｒとなっているので、右打導入通路Ｒｃを通過する遊技球の全てが、屈曲通路５０Ｒで遊技板１１の前面１１Ｍから後方に曲がって進行するので、右打導入通路Ｒｃにおける遊技球の動きを従来の遊技機にはない斬新な動きにすることができ、趣向性が高まる。
【００４４】
また、屈曲通路５０Ｒが、表示窓の開口縁に沿って延びた潜行部５０Ａが設けられた樋屈曲部５０の内側に構成されているので、屈曲通路５０Ｒを前方から認識しやすくすることができる。しかも、通路前面カバー５５が、透明又は半透明な部材で構成されているので、屈曲通路５０Ｒ内の遊技球の動きが視認可能となる。
【００４５】
また、樋屈曲部５０における導入部５０Ｄ及び導出部５０Ｅと潜行部５０Ａとの間に傾斜屈曲部５０Ｂ，５０Ｃが設けられているので、導入部５０Ｄから潜行部５０Ａへ向かう遊技球及び潜行部５０Ａから導出部５０Ｅへ向かう遊技球をスムーズに通過させることができ、屈曲通路５０Ｒでの球詰まりが防がれる。
【００４６】
また、右打導入通路Ｒｃのうち屈曲通路５０Ｒより左側部分に減速屈曲部４２と、緩衝部材４１とが備えられていて、屈曲通路５０Ｒの手前で遊技球の勢いが軽減されるので、遊技球が通路前面カバー５５に衝突した場合の衝撃が軽減され、通路前面カバー５５の損傷が防がれる。
【００４７】
さらに、通路前面カバー５５に導出部５０Ｅを前方から覆う導出部カバー５５Ｅが備えられているので、潜行部５０Ａから導出部５０Ｅに向かって前方に誘導された遊技球が通路前面カバー５５の前方に飛び出してガラス窓１０Ｗに衝突することが防がれる。
【００４８】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４９】
（１）上記実施形態では、樋屈曲部５０を右打導入通路Ｒｃに形成したが、左側流下エリアＲａを含む左打専用通路に形成してもよいし、右側流下エリアＲｂに形成してもよい。この構成によれば、右打専用通路又は左打専用通路における遊技球の動きを従来の遊技機にはない斬新な動きにすることができ、趣向性が高まる。
【００５０】
（２）上記実施形態では、樋屈曲部５０は遊技球が１個ずつ通過可能な幅で形成されたが、遊技球が複数個並んだ状態で通過可能な幅に形成してもよい。
【００５１】
（３）上記実施形態では、通路前面カバー５５は透明又は半透明な部材で構成したが、通路前面カバー５５を不透明な部材で構成としてもよい。
【００５２】
（４）上記実施形態では、樋屈曲部５０は１カ所にのみ形成されていたが、複数個所に形成してもよい。
【００５３】
（５）上記実施形態では、窓内装飾部材８０が可動式であったが、移動不能に固定されていてもよい。
【００５４】
（６）上記実施形態では、窓内装飾部材８０が通常時に右打導入通路Ｒｃの前方（上端位置）に配置されて大当りとなったことを起因に右打導入通路Ｒｃの前方から外れる（下端位置に向かって移動する）構成であったが、通常時に右打導入通路Ｒｃの前方から外れた位置（下端位置）に配されて、大当り遊技中に右打導入通路Ｒｃの前方に移動（上端位置に向かって移動）する構成であってもよい。この場合、窓内装飾部材８０が右打導入通路Ｒｃと重なる位置まで移動できなかった従来のものと比較して、窓内装飾部材８０の可動範囲を大きくすることが可能となる。
【００５５】
（７）また、窓内装飾部材８０が移動する演出が行われるのは、大当り遊技中でなくてもよい。例えば、当りの判定結果が報知されたときであってもよいし、所謂確変遊技中や予告時やリーチ時やリーチ演出等の遊技状態に応じて移動する構成であってもよい。
【００５６】
（８）上記実施形態では、窓内装飾部材８０の右上部を拡張して装飾拡張部８０Ｋを形成したが、装飾拡張部８０Ｋは、窓内装飾部材８０のどの方向に形成されてもよいし、窓内装飾部材８０の左上部と右下部といった複数個所に設けられてもよい。このとき、それぞれの装飾拡張部８０Ｋに対応した樋屈曲部５０を複数設ける構成となる。
【００５７】
（９）装飾拡張部８０Ｋは、窓内装飾部材８０の他の部分と同じ厚みで構成してもよいし、窓内装飾部材８０の他の部分より薄く構成してもよい。装飾拡張部８０Ｋの厚みを窓内装飾部材８０の他の部分よりも薄くすることで、樋屈曲部５０の前後方向への屈曲が少なくてすむ。
なお、上記実施形態及び他の実施形態（１）〜（９）には、以下の［１］〜［８］の構成が含まれている。
［１］
遊技球が流下可能な遊技領域を前面に備えた遊技板と、
前記遊技領域の右側流下エリアに向かう又は前記右側流下エリアを流下する遊技球全てが通過する右打専用通路と、
前記遊技領域の左側流下エリアに向かう又は前記左側流下エリアを流下する遊技球全てが通過する左打専用通路と、を備えた遊技機において、
前記右打専用通路又は前記左打専用通路における遊技球の進行方向の一部が、前記遊技板の後方に向けて屈曲してなる屈曲通路と、
前記屈曲通路を前方から覆う通路前面カバーと、を備えたことを特徴とする遊技機。
［１］の構成では、右打専用通路又は左打専用通路における遊技球の進行方向の一部が後方に屈曲した屈曲通路となっている。これにより、右打専用通路を通過する遊技球の全て又は左打専用通路を通過する遊技球の全てが、屈曲通路で遊技板の前面から後方に曲がって進行するので、右打専用通路又は左打専用通路における遊技球の動きを従来の遊技機にはない斬新な動きにすることができ、趣向性が高まる。
［２］
前記遊技領域を包囲する包囲壁と、
前記遊技領域の左上縁部に設けられ、遊技球を前記遊技領域に打ち込むための進入口と、
前記進入口から前記包囲壁に沿って遊技球を前記右側流下エリアへと案内する前記右打専用通路としての右打導入通路とを有し、
前記右打導入通路の一部が前記屈曲通路になっていることを特徴とする［１］に記載の遊技機。
［２］の構成では、屈曲通路が、進入口から包囲壁に沿って斜め上方に向かう遊技球を右側流下エリアへと案内する右打導入通路に設けられているので、右打導入通路が、強く打ち込まれた遊技球が包囲壁に案内されて単調に通過するに過ぎなかった従来の遊技機と比べて、右打専用通路の右打導入通路における遊技球の動きに変化をもたせることができる。
［３］
前記右打導入路が、遊技球が１つずつ通過する幅で構成されていることを特徴とする［２］に記載の遊技機。
右打導入路は、遊技球が複数同時に通過する幅で構成してもよいし、［３］の構成のように、遊技球が１つずつ通過する幅で構成してもよい。
［４］
前記右打導入通路のうち前記屈曲通路より左側部分を上下方向に屈曲させてなる減速屈曲部と、
前記減速屈曲部のうち前記進入口から前記包囲壁に沿って進んだ遊技球が衝突する衝突部に緩衝部材を備えたことを特徴とする［２］又は［３］に記載の遊技機。
［４］の構成では、右打導入通路のうち屈曲通路より左側部分に減速屈曲部と、緩衝部材とが備えられていて、屈曲通路の手前で遊技球の勢いが軽減されるので、遊技球が通路前面カバーに衝突した場合の衝撃が軽減され、通路前面カバーの損傷を抑制することが可能となる。
［５］
前記遊技板に設けられた演出装置を前方から視認可能とするための表示窓と、
前記表示窓の開口縁に沿って延びた樋構造をなし、前記屈曲通路を構成すると共に前記通路前面カバーを前面に有する樋屈曲部と、
前記樋屈曲部に設けられ、前記表示窓の開口縁に沿って延びた潜行部を有する［１］乃至［４］の何れか１に記載の特徴とする遊技機。
［５］の構成では、屈曲通路が、表示窓の開口縁に沿って延びた潜行部が設けられた樋屈曲部の内側に構成されているので、屈曲通路を前方から認識しやすくすることができる。
［６］
前記樋屈曲部の上流側端部と下流側端部とに設けられ、前記遊技板の前面に重なった導入部及び導出部と、
前記導入部及び導出部と前記潜行部との間を連絡し、前記遊技板の前面に対して傾斜した１対の傾斜屈曲部とを有することを特徴とする［５］に記載の遊技機。
［６］の構成では、樋屈曲部における導入部及び導出部と潜行部との間に傾斜屈曲部が設けられているので、導入部から潜行部へ向かう遊技球及び潜行部から導出部へ向かう遊技球をスムーズに通過させることができ、屈曲通路での球詰まりを抑制することが可能となる。
［７］
前記樋屈曲部の上流側端部と下流側端部とに設けられ、前記遊技板の前面の前側に位置する導入部及び導出部を備え、
前記通路前面カバーには、前記導出部に位置し、前記潜行部から前記導出部に向かう遊技球が衝突可能な導出部カバーが備えられていることを特徴とする［５］又は［６］に記載の遊技機。
［７］の構成では、通路前面カバーに導出部を前方から覆う導出部カバーが備えられているので、潜行部から導出部に向かって前方に誘導された遊技球が通路前面カバーの前方に飛び出すことを抑制することが可能となる。
［８］
前記通路前面カバーは、透明又は半透明な部材で構成されていることを特徴とする［１］乃至［７］の何れか１に記載の遊技機。
［８］の構成では、通路前面カバーが、透明又は半透明な部材で構成されているので、屈曲通路内の遊技球の動きが視認可能となる。
【符号の説明】
【００５８】
１０    遊技機
１１    遊技板
１２Ａ    第１ガイドレール（包囲壁）
１２Ｂ    第２ガイドレール（包囲壁）
１３    表示装置（演出装置）
１６    区画レール（包囲壁）
１９    進入口
２３    表示装飾枠
２３Ａ    表示窓
２３Ｆ    張出し部
４１    緩衝部材
４２    減速屈曲部
４７    弾通過樋
５０    樋屈曲部
５０Ａ    潜行部
５０Ｂ，５０Ｃ    傾斜屈曲部
５０Ｄ    導入部
５０Ｅ    導出部
５０Ｒ    屈曲通路
５５    通路前面カバー
５５Ａ    干渉回避カバー部
５５Ｅ    導出部カバー
８０    窓内装飾部材
８０Ｋ    装飾拡張部
Ｒ１    遊技領域
Ｒａ    左側流下エリア
Ｒｂ    右側流下エリア
Ｒｃ    右打導入通路
【図１】
2017087034.tif 000003
【図２】
2017087034.tif 000004
【図３】
2017087034.tif 000005
【図４】
2017087034.tif 000006
【図５】
2017087034.tif 000007
【図６】
2017087034.tif 000008
【図７】
2017087034.tif 000009
【図８】
2017087034.tif 000010
【図９】
2017087034.tif 000011
【図１０】
2017087034.tif 000012
【図１１】
2017087034.tif 000013